(57)【要約】【課題】高温多湿条件を熱交換器から排出されるドレン水量を検知することにより室内吹出し口の結露状態を推定し、圧縮機運転周波数を変更することにより快適性を損なうことなく吹出し口の結露防止を可能にした空気調和機の運転制御方法を提供する。【解決手段】圧縮機駆動装置１５、圧縮機運転周波数検出装置１６、ドレン水位検出装置１４、ドレン水位記憶装置１７、ドレン水位検出回数記憶装置１８、ドレン水排出装置１３、室内吹出し口羽根駆動装置１９、室内吹出し口羽根角度検出装置２０、室内吹出し口羽根角度記憶装置２１を具備し、冷房または除湿運転時において、室内熱交換器７より排出されるドレン水の水位が設定値を上回るとドレン水排出装置１３が設定時間運転し、ドレン水位検出装置１４のドレン水位検出回数が設定時間内に設定回数を上回ると、圧縮機運転周波数を低下させると同時に室内吹出し口羽根１１の角度を固定する。【選択図】図３
2007278636.tif 000002
【特許請求の範囲】
【請求項１】
装置装置装置圧縮機駆動装置、圧縮機運転周波数検出装置、ドレン水位検出装置、ドレン水位記憶装置、ドレン水位検出回数記憶装置、ドレン水排出装置、室内吹出し口羽根駆動装置、室内吹出し口羽根角度検出装置、室内吹出し口羽根角度記憶装置を具備し、冷房または除湿運転時において、室内熱交換器より排出されるドレン水の水位が設定値を上回るとドレン水排出装置が設定時間運転し、ドレン水位検出装置のドレン水位検出回数が設定時間内に設定回数を上回ると、圧縮機運転周波数を低下させると同時に室内吹出し口羽根の角度を固定することを特徴とする空気調和機の運転制御方法。
【請求項２】
室内送風機回転数検出装置と室内送風機回転数記憶装置とを具備し、冷房または除湿運転時において室内送風機の回転数を検出し、前記室内送風機の回転数が設定値を下回ったらドレン水位検出装置のドレン水位検出回数をカウントし、設定時間内に設定回数を上回ると圧縮機運転周波数を低下させると同時に室内吹出し口羽根の角度を固定することを特徴とする請求項１に記載の空気調和機の運転制御方法。
【請求項３】
室内吸込み温度検出装置と室内吸込み温度記憶装置とを具備し、冷房または除湿運転時において室内吸込み温度を検出し、前記吸込み温度が設定値を上回ったらドレン水位検出装置のドレン水位検出回数をカウントし、設定時間内に設定回数を上回ると圧縮機運転周波数を低下させると同時に室内吹出し口の羽根角度を固定することを特徴とする請求項１に記載の空気調和機の運転制御方法。
【請求項４】
室内熱交換器温度検出装置と室内熱交換器温度記憶装置とを具備し、冷房または除湿運転時において室内熱交換器温度を検出し、前記熱交換器温度が設定値を上回ったらドレン水位検出装置のドレン水位検出回数をカウントし、設定時間内に設定回数を上回ると圧縮機運転周波数を低下させると同時に室内吹出し口の羽根角度を固定することによりことを特徴とする請求項１に記載の空気調和機の運転制御方法。
【請求項５】
室外吸込み空気温度検出装置と室外吸込み空気温度記憶装置とを具備し、冷房または除湿運転時において室外気温を検出し、前記外気温が設定値を上回ったらドレン水位検出装置のドレン水位検出回数をカウントし、設定時間内に設定回数を上回ると圧縮機運転周波数を低下させると同時に室内吹出し口の羽根角度を固定することを特徴とする請求項１に記載の空気調和機の運転制御方法。
【発明の詳細な説明】
【技術分野】
【０００１】
本発明は、空気調和機の運転制御方法に関するものである。
【背景技術】
【０００２】
従来この種空気調和機の運転制御方法は、図１７のブロック図、図１８のフローチャート及び図１９のタイムチャートに示すように、室外気温度及び室内熱交換器温度を検知することにより、室内吹出し口の結露状態を推定し、圧縮機の運転周波数を下げ、水滴の滴下を防止している（例えば、特許文献１参照）。
【特許文献１】特開平６−１２３４７７号公報
【発明の開示】
【発明が解決しようとする課題】
【０００３】
しかしながら、前記従来の構成では、直接室内の湿度を検出するのではなく代りに室内熱交換器温度で代用していることから、室内熱交換器温度が低くても湿度が低い場合は、室内吹出し口の結露は少ないにも拘らず圧縮機運転周波数を下げてしまうことから、ひいては吹出し温度が上昇するため、除湿能力が著しく低下し快適性を損なうという課題を有していた。
【０００４】
本発明は前記従来の課題を解決するもので、高温多湿条件を熱交換器から排出されるドレン水量を検知することにより室内吹出し口の結露状態を推定し、圧縮機運転周波数を変更することにより快適性を損なうことなく吹出し口の結露防止を可能にした空気調和機の運転制御方法を提供することを目的とする。
【課題を解決するための手段】
【０００５】
前記従来の課題を解決するために本発明の空気調和機の運転制御方法は、圧縮機駆動装置、圧縮機運転周波数検出装置、ドレン水位検出装置、ドレン水位記憶装置、ドレン水位検出回数記憶装置、ドレン水排出装置、室内吹出し口羽根駆動装置、室内吹出し口羽根角度検出装置、室内吹出し口羽根角度記憶装置を具備し、冷房または除湿運転時において、室内熱交換器より排出されるドレン水の水位が設定値を上回るとドレン水排出装置が設定時間運転し、ドレン水位検出装置のドレン水位検出回数が設定時間内に設定回数を上回ると、圧縮機運転周波数を低下させると同時に室内吹出し口羽根の角度を固定するものである。これによって、ドレン水排出回数が多い場合には湿度が高いと判断し、圧縮機運転周波数を低下させると同時に室内吹出し口羽根の角度を固定することによって室内機吹出し口の結露を防ぐことを可能としたものである。また、圧縮機運転周波数を低下させるまでに所定時間の猶予を持たせるため、快適性の低下を抑制することができる。
【発明の効果】
【０００６】
本発明の空気調和機の運転制御方法は快適性を損なうことなく、室内吹出し口の結露を防ぐことができる。
【発明を実施するための最良の形態】
【０００７】
第１の発明は、圧縮機駆動装置、圧縮機運転周波数検出装置、ドレン水位検出装置、ドレン水位記憶装置、ドレン水位検出回数記憶装置、ドレン水排出装置、室内吹出し口羽根駆動装置、室内吹出し口羽根角度検出装置、室内吹出し口羽根角度記憶装置を具備し、冷房または除湿運転時において、室内熱交換器より排出されるドレン水の水位が設定値を上回るとドレン水排出装置が設定時間運転し、ドレン水位検出装置のドレン水位検出回数が設定時間内に設定回数を上回ると、圧縮機運転周波数を低下させると同時に室内吹出し口
の羽根角度を固定することにより、湿度の状況を判断して快適性を損なうことなく室内機吹出し口の結露を防ぐことができる。
【０００８】
第２の発明は、特に第１の発明の運転制御方法においてさらに室内送風機回転数検出装置と室内送風機回転数記憶装置とを具備し、冷房または除湿運転時において室内送風機の回転数を検出し、前記室内送風機の回転数が設定値を下回ったらドレン水位検出装置のドレン水位検出回数をカウントし、設定時間内に設定回数を上回ると圧縮機運転周波数を低下させると同時に室内吹出し口羽根の角度を固定することにより、快適性を損なうことなく室内吹出し口の結露を防ぐことができる。
【０００９】
第３の発明は、特に第１の発明の運転制御方法においてさらに室内吸込み温度検出装置と室内吸込み温度記憶装置とを具備し、冷房または除湿運転時において室内吸込み温度を検出し、前記室内吸込み温度が設定値を上回ったらドレン水位検出装置のドレン水位検出回数をカウントし、設定時間内に設定回数を上回ると圧縮機運転周波数を低下させると同時に室内吹出し口羽根の角度を固定することによりことにより、快適性を損なうことなく室内吹出し口の結露を防ぐことができる。
【００１０】
第４の発明は、特に第１の発明の運転制御方法においてさらに室内熱交換器温度検出装置と室内熱交換器温度記憶装置とを具備し、冷房または除湿運転時において室内熱交換器温度を検出し、前記熱交換器温度が設定値を下回ったらドレン水位検出装置のドレン水位検出回数をカウントし、設定時間内に設定回数を上回ると圧縮機運転周波数を低下させると同時に室内吹出し口羽根の角度を固定することによりことにより、快適性を損なうことなく室内吹出し口の結露を防ぐことができる。
【００１１】
第５の発明は、特に第１の発明の運転制御方法においてさらに室外吸込み空気温度検出装置と室外吸込み空気温度記憶装置とを具備し、冷房または除湿運転時において室外気温度を検出し、前記室外気温度が設定値を下回ったら、ドレン水位検出装置のドレン水位検出回数をカウントし、設定時間内に設定回数を上回ると圧縮機運転周波数を低下させると同時に室内吹出し口羽根の角度を固定することによりことにより、快適性を損なうことなく室内吹出し口の結露を防ぐことができる。
【００１２】
以下本発明の実施の形態について図面を参照して説明する。なお本実施の形態によって本発明が限定されるものではない。
【００１３】
（実施の形態１）
図１は実施の形態１における運転制御方法を示す冷凍サイクル図である。同図において、冷凍サイクルは圧縮機１、冷房運転と暖房運転を切換える４方弁２、室外熱交換器３、室外送風機４、室外吸込み空気温度センサー５、電動膨張弁６、室内熱交換器７、室内配管温度センサー８、室内吸込み空気温度センサー９、室内送風機１０、室内吹出し口羽根１１、室内吹出し口羽根駆動装置１２、ドレン水排出装置であるドレンポンプ１３、ドレン水位検出装置であるフロートＳＷ１４で構成されている。暖房運転時には４方弁２が切り変わることにより、矢印で示すように冷房運転とは反対の方向に冷媒が流れるようになっている。
【００１４】
図２は制御ブロック図で、圧縮機１を駆動する圧縮機駆動装置１５、圧縮機運転周波数検出装置１６、ドレン水位検出装置（フロートＳＷ）１４、ドレン水位記憶装置１７、ドレン水位検出回数記憶装置１８、ドレン水排出装置（ドレンポンプ）１３、室内吹出し口羽根駆動装置１９、室内吹出し口羽根角度検出装置２０、室内吹出し口羽根角度記憶装置２１を具備し、判定装置２２により制御する。
【００１５】
図３のフローチャート及び図４のタイムチャートにより、空気調和機の運転制御の動作を説明する。冷房または除湿運転時において、圧縮機１がＯＮして１時間経過後、フロートＳＷ１４のタイマーカウントをリセットし、室内熱交換器７より排出されるドレン水の水位がフロートＳＷ１４によりドレン水位記憶装置１７の設定値を上回るとドレンポンプ１３が３０秒間運転し、ドレン水を屋外へ排出すると共にフロートＳＷ１４のＯＮ回数を１回カウントしてドレン水位検出回数記憶装置１８に記憶する。そしてドレン水がフロートＳＷ１４の設定値を下回れば、ドレンポンプ１３は停止する。ここで圧縮機１は継続して運転していることから、室内熱交換器７から排出されるドレン水が溜まってフロートＳＷ１４の設定値を上回ると再びドレンポンプ１３が３０秒間運転しドレン水を屋外へ排出する。こうしてドレンポンプ１３がＯＮ−ＯＦＦを繰返すたびに、フロートＳＷ１４のＯＮ回数が増えてドレン水位検出回数記憶装置１８の記憶が１０分間以内に１０回カウントに到達すると、露付き防止制御がＯＮとなり、圧縮機駆動装置１５により圧縮機運転周波数をＦｃ２へ低下させると同時に室内吹出し口羽根１１の角度を角度１に固定するものである。ここで羽根の角度１は通風抵抗が最も少なく室内機の風量が最大値を取る角度に設定されており、従って吹出し口の結露を最小限にすることができる。これによって、室内機吹出し口の結露を防ぐことができる。
【００１６】
（実施の形態２）
図５は実施の形態２における制御ブロック図で、実施の形態１で説明した図２に室内ファン速検出装置２３と室内ファン速記憶装置２４を追加したものである。図６のフローチャート及び図７のタイムチャートにより、空気調和機の運転制御の動作を説明する。
【００１７】
冷房または除湿運転時において、圧縮機１がＯＮして１時間経過後でしかも室内ファン速がＬｏタップの場合、フロートＳＷ１４のタイマーカウントをリセットし、室内熱交換器７より排出されるドレン水の水位がフロートＳＷ１４の設定値を上回るとドレンポンプ１３が３０秒間運転し、ドレン水を屋外へ排出すると共にフロートＳＷ１４のＯＮ回数を１回カウントしてドレン水位検出回数記憶装置１８に記憶する。フロートＳＷ１４のＯＮ回数が１０分間以内に１０回カウントに到達すると、露付き防止制御がＯＮとなり、圧縮機運転周波数をＦｃ２へ低下させると同時に室内吹出し口羽根１１の角度を角度１に固定するものである。ここで羽根の角度１は通風抵抗が最も少なく室内機の風量が最大値を取る角度に設定されており、従って吹出し口の結露を最小限にすることができる。これによって、特に室内ファンの風量が小さいときの室内機吹出し口の結露を防ぐことができる。
【００１８】
（実施の形態３）
図８は実施の形態３における制御ブロック図で、実施の形態１で説明した図２に室内吸込み空気温度検出装置（室内吸込み空気温度センサー）９と室内吸込み空気温度記憶装置２４を追加したものである。第９図のフローチャート及び第１０図のタイムチャートにより、空気調和機の運転制御の動作を説明する。
【００１９】
圧縮機１がＯＮして１時間経過後でしかも室内吸込み空気温度センサー８で検出した室内吸込み空気温度Ｔｓｉが設定値Ｔｓ１を上回った場合、フロートＳＷ１４のタイマーカウントをリセットし、室内熱交換器７より排出されるドレン水の水位がフロートＳＷ１４の設定値を上回るとドレンポンプ１３が３０秒間運転し、ドレン水を屋外へ排出すると共にフロートＳＷ１４のＯＮ回数を１回カウントしてドレン水位検出回数記憶装置１８に記憶する。フロートＳＷ１４のＯＮ回数が１０分間以内に１０回カウントし、露付き防止制御がＯＮとなり、圧縮機運転周波数をＦｃ２へ低下させると同時に室内吹出し口羽根の角度を角度１に固定するものである。ここで羽根の角度１は通風抵抗が最も少なく室内機の風量が最大値を取る角度に設定されており、従って吹出し口の結露を最小限にすることができる。これによって、室内機吹出し口の結露を防ぐことができる。
【００２０】
（実施の形態４）
図１１は実施の形態４における制御ブロック図で、実施の形態１で説明した図２に室内熱交換器温度検出装置（室内配管温度センサー）８と室内熱交換器温度記憶装置２５を追加したものである。第１２図のフローチャート及び第１３図のタイムチャートにより、空気調和機の運転制御の動作を説明する。
【００２１】
圧縮機１がＯＮして１時間経過後でしかも室内熱交換器７の温度として室内配管温度センサー８で検出した室内配管温度Ｔｈｉが設定値Ｔｈ１を下回った場合、フロートＳＷ１４のタイマーカウントをリセットし、室内熱交換器７より排出されるドレン水の水位がフロートＳＷ１４の設定値を上回るとドレンポンプ１３が３０秒間運転し、ドレン水を屋外へ排出すると共にフロートＳＷ１４のＯＮ回数を１回カウントしてドレン水位検出回数記憶装置１８に記憶する。フロートＳＷ１４のＯＮ回数が１０分間以内に１０回カウントし、露付き防止制御がＯＮとなり、圧縮機運転周波数をＦｃ２へ低下させると同時に室内吹出し口羽根の角度を角度１に固定するものである。ここで羽根の角度１は通風抵抗が最も少なく室内機の風量が最大値を取る角度に設定されており、従って吹出し口の結露を最小限にすることができる。これによって、室内機吹出し口の結露を防ぐことができる。
【００２２】
（実施の形態５）
図１４は実施の形態５における制御ブロック図で、実施の形態１で説明した図２に室外吸込み空気温度検出装置（室外気温度センサー）５と室外吸込み空気温度記憶装置２７を追加したものである。第１５図のフローチャート及び第１６図のタイムチャートにより、空気調和機の運転制御の動作を説明する。
【００２３】
圧縮機１がＯＮして１時間経過後でしかも室外吸込み空気温度センサー５で検出した室外吸込み空気温度Ｔｓｏが設定値Ｔｏ１を下回った場合、フロートＳＷ１４のタイマーカウントをリセットし、室内熱交換器７より排出されるドレン水の水位がフロートＳＷ１４の設定値を上回るとドレンポンプ１３が３０秒間運転し、ドレン水を屋外へ排出すると共にフロートＳＷ１４のＯＮ回数を１回カウントしてドレン水位検出回数記憶装置１８に記憶する。フロートＳＷ１４のＯＮ回数が１０分間以内に１０回カウントし、露付き防止制御がＯＮとなり、圧縮機運転周波数をＦｃ２へ低下させると同時に室内吹出し口羽根の角度を角度１に固定するものである。ここで羽根の角度１は通風抵抗が最も少なく室内機の風量が最大値を取る角度に設定されており、従って吹出し口の結露を最小限にすることができる。これによって、室内機吹出し口の結露を防ぐことができる。
【００２４】
ここで説明した実施の形態におけるドレン水量の検知はフロートＳＷの開閉頻度を利用したが、これに限るものではなく、ドレンポンプの運転時間やドレン水重量の検知などでも良い。
【産業上の利用可能性】
【００２５】
空気調和機の運転制御方法は、高温多湿条件を熱交換器から排出されるドレン水量を検知することにより室内吹出し口の結露状態を推定し、圧縮機運転周波数を変更することにより快適性を損なうことなく吹出し口の結露防止を可能にしたので、冷房や除湿運転を行う空気調和機であれば適用することができる。
【図面の簡単な説明】
【００２６】
【図１】本発明の第１の実施形態を示す運転制御方法の冷凍サイクル図
【図２】本発明の第１の実施形態を示す運転制御方法のブロック図
【図３】本発明の第１の実施形態を示す運転制御方法のフローチャート
【図４】本発明の第１の実施形態を示す運転制御方法のタイムチャート
【図５】本発明の第２の実施形態を示す運転制御方法のブロック図
【図６】本発明の第２の実施形態を示す運転制御方法のフローチャート
【図７】本発明の第２の実施形態を示す運転制御方法のタイムチャート
【図８】本発明の第３の実施形態を示す運転制御方法のブロック図
【図９】本発明の第３の実施形態を示す運転制御方法のフローチャート
【図１０】本発明の第３の実施形態を示す運転制御方法のタイムチャート
【図１１】本発明の第４の実施形態を示す運転制御方法のブロック図
【図１２】本発明の第４の実施形態を示す運転制御方法のフローチャート
【図１３】本発明の第４の実施形態を示す運転制御方法のタイムチャート
【図１４】本発明の第５の実施形態を示す運転制御方法のブロック図
【図１５】本発明の第５の実施形態を示す運転制御方法のフローチャート
【図１６】本発明の第５の実施形態を示す運転制御方法のタイムチャート
【図１７】従来の運転制御方法のブロック図
【図１８】従来の運転制御方法のフローチャート
【図１９】従来の運転制御方法のタイムチャート
【符号の説明】
【００２７】
１  圧縮機
２  ４方弁
３  室外熱交換器
４  室外送風機
５  室外吸込み空気温度検出装置（室外吸込み空気温度センサー）
６  電動膨張弁
７  室内熱交換
８  室内熱交換器温度検出装置（室内配管温度センサー）
９  室内吸込み空気温度検出装置（室内吸込み空気温度センサー）
１０  室内送風機
１１  室内吹出し口羽根
１２  室内羽根駆動装置
１３  ドレン水排出装置（ドレンポンプ）
１４  ドレン水位検出装置（フロートＳＷ）
１５  圧縮機駆動装置
１６  圧縮機運転周波数検出装置
１７  ドレン水位記憶装置
１８  ドレン水位検出回数記憶装置
１９  室内吹出し口羽根駆動装置
２０  室内吹出し口羽根角度検出装置
２１  室内吹出し口羽根角度記憶装置
２２  判定装置
２３  室内ファン速検出装置
２４  室内ファン速記憶装置
２５  室内吸込み空気温度記憶装置
２６  室内熱交換器温度記憶装置
２７  室外吸込み空気温度記憶装置
【図１】
2007278636.tif 000003
【図２】
2007278636.tif 000004
【図３】
2007278636.tif 000005
【図４】
2007278636.tif 000006
【図５】
2007278636.tif 000007
【図６】
2007278636.tif 000008
【図７】
2007278636.tif 000009
【図８】
2007278636.tif 000010
【図９】
2007278636.tif 000011
【図１０】
2007278636.tif 000012
【図１１】
2007278636.tif 000013
【図１２】
2007278636.tif 000014
【図１３】
2007278636.tif 000015
【図１４】
2007278636.tif 000016
【図１５】
2007278636.tif 000017
【図１６】
2007278636.tif 000018
【図１７】
2007278636.tif 000019
【図１８】
2007278636.tif 000020
【図１９】
2007278636.tif 000021